(57)【要約】【課題】  複数の電気製品の機器データをデータ放送を利用してバージョンアップできるようにすると共に、これらの電気製品のアフターサービスを向上できるようにする。【解決手段】  書換え可能な機器データに基づいて動作する任意の電気製品Ｅｉに対応して当該機器データを書き換えるシステムであって、電気製品Ｅｉを動作させる新たな機器データをデータ放送を利用して当該電気製品Ｅｉ宛に配信する情報配信装置１０と、この情報配信装置１０から当該電気製品Ｅｉ宛へ配信されてきた新たな機器データを受信すると共に、当該新たな機器データに基づいて電気製品Ｅｉの旧機器データを書き換えるデジタル受信機２０とを備えるものである。この構成によって、当該デジタル受信機２０に接続される複数の電気製品Ｅｉの機器データを地上波デジタル放送システムやデジタル衛星放送システム等を利用してバージョンアップすることができる。【選択図】        図１
2005086562.tif 000002
【特許請求の範囲】
【請求項１】
書換え可能な機器データに基づいて動作する任意の電気製品に対応した情報を処理するシステムであって、
前記電気製品を動作させる新たな機器データをデータ放送を利用して当該電気製品宛に配信する情報配信装置と、
前記情報配信装置から当該電気製品宛へ配信されてきた前記新たな機器データを受信すると共に、前記電気製品の機器データを当該新たな機器データに書き換えるように情報処理する情報受信処理装置とを備えることを特徴とする情報処理システム。
【請求項２】
前記情報配信装置は、
前記電気製品を識別するための識別情報を機器データに付加して配信することを特徴とする請求項１に記載の情報処理システム。
【請求項３】
前記データ放送には、地上波デジタル放送システム及びデジタル衛星放送システムが使用されることを特徴とする請求項１に記載の情報処理システム。
【請求項４】
前記情報受信処理装置は、
前記情報配信装置から当該電気製品宛へ配信されてきた前記新たな機器データを受信する受信手段と、
前記受信手段より受信された当該新たな機器データを記憶する第１の記憶手段と、
前記電気製品の機器データを前記第１の記憶手段から読み出した新たな機器データに書き換えるようにデータ転送制御する制御手段とを備えることを特徴とする請求項１に記載の情報処理システム。
【請求項５】
前記情報受信処理装置は、
自機の管理下にある前記電気製品を識別するための識別情報を記憶する第２の記憶手段と、
前記第２の記憶手段から読み出した識別情報に基づいて自機宛の機器データか否かを判別する判別手段とを有し、
前記制御手段は、
前記判別手段によって自機宛の機器データであると判別された場合に当該機器データを前記第１の記憶手段に記憶するように制御することを特徴とする請求項４に記載の情報処理システム。
【請求項６】
前記情報受信処理装置には、書換え可能な機器データに基づいて動作する複数の電気製品が接続されることを特徴とする請求項１に記載の情報処理システム。
【請求項７】
書換え可能な機器データに基づいて動作する任意の電気製品に対応した当該機器データを受信して処理する装置であって、
当該電気製品宛へデータ放送を利用して配信されてきた新たな機器データを受信する受信手段と、
前記受信手段より受信された当該新たな機器データを記憶する第１の記憶手段と、
前記電気製品の機器データを前記第１の記憶手段から読み出した新たな機器データに書き換えるようにデータ転送制御する制御手段とを備えることを特徴とする情報受信処理装置。
【請求項８】
自機の管理下にある前記電気製品を識別するための識別情報を記憶する第２の記憶手段と、
前記第２の記憶手段から読み出した識別情報に基づいて自機宛の機器データか否かを判別する判別手段とを備え、
前記制御手段は、
前記判別手段によって自機宛の機器データであると判別された場合に当該機器データを前記第１の記憶手段に記憶するように制御することを特徴とする請求項７に記載の情報受信処理装置。
【請求項９】
前記制御手段には、書換え可能な機器データに基づいて動作する複数の電気製品が接続されることを特徴とする請求項７に記載の情報受信処理装置。
【請求項１０】
書換え可能な機器データに基づいて動作する任意の電気製品に関して当該機器データを書き換える方法であって、
各々の前記電気製品を動作させる新たな機器データを予め準備し、
予め準備された前記新たな機器データをデータ放送を利用して各々の前記電気製品宛に配信し、
当該電気製品宛に配信されてきた前記新たな機器データを受信し、
前記電気製品の機器データを受信した前記新たな機器データに書き換えることを特徴とする情報処理方法。
【請求項１１】
前記電気製品を識別するための識別情報を機器データに付加して配信することを特徴とする請求項１０に記載の情報処理方法。
【請求項１２】
前記データ放送には、地上波デジタル放送システム及びデジタル衛星放送システムを使用することを特徴とする請求項１０に記載の情報処理方法。
【請求項１３】
前記電気製品を識別するための識別情報を準備し、
予め準備された前記識別情報に基づいて自機宛の機器データか否かを判別し、
自機宛の前記機器データであると判別された場合に当該機器データを取り込むことを特徴とする請求項１０に記載の情報処理方法。
【発明の詳細な説明】
【技術分野】
【０００１】
本発明は、データ放送を利用して電気製品のソフトウエアを書き換える機器データダウンロードシステム等に適用して好適な情報処理システム、情報受信処理装置及び情報処理方法に関する。詳しくは、任意の電気製品に対応した機器データを書き換える場合に、データ放送を利用して当該電気製品宛に配信されてきた新たな機器データを受信すると共に、電気製品の機器データを当該新たな機器データに書き換えるように情報処理する情報受信処理装置を備え、当該情報受信処理装置に接続される複数の電気製品を地上波デジタル放送システムやデジタル衛星放送システム等を利用して取り込んだ機器データによりバージョンアップできるようにすると共に、情報受信処理装置の管理下にある電気製品のアフターサービスを向上できるようにしたものである。
【背景技術】
【０００２】
近年、デジタル衛星放送システムが導入され、放送衛星からデジタル放送を受信して映像を表示し、音声を出力する情報処理機器が使用される場合が多くなってきた。今後、地上波デジタル放送も使用開始されつつある。
【０００３】
一方、マイクロコンピュータを内蔵した電気製品が使用される場合が多くなってきた。この種の電気製品の一例として、冷蔵庫、洗濯機、皿洗い機、乾燥機、コーヒーメーカ、電子レンジ、クーラー、湯沸かし器、ミキサー、オーブン等の家電製品や、ＤＶＤ装置、テレビ、ラジオ、カセットデッキ、ＣＤプレーヤー、ＭＤプレーヤー、ホームシアターセット、ＶＴＲ、デジタルカメラ、パーソナルコンピュータ、電子辞書、電子手帳、ゲーム機、携帯電話機等の情報処理機器が挙げられる。これらはほんの一例である。
【０００４】
これらの電気製品でシステムプログラム等の改良がなされた場合、システムプログラムが記録されたＲＯＭ（Read Only Memory）を個々に取り替えてバージョンアップに対処していた。また、デジタル放送受信機能を有した受信機によれば、現状では、受信機本体のみのソフトウエアを書き換えることが可能となされている。
【０００５】
なお、デジタル放送受信機能を有した受信機に関して、特許文献１には遠隔制御装置が開示されている。この遠隔制御装置によれば、送受信装置とリモートコントローラとを備え、ユーザがリモートコントローラを操作して送受信装置に対し遠隔制御指示を与えると、送受信装置がテレビジョン放送番組から電子番組情報を抽出し、この電子番組情報に基づいてテレビジョン受像機や録画装置等の電子機器を遠隔制御するようになされる。こうすることで、利便性に優れた遠隔制御装置を提供できるというものである。
【０００６】
【特許文献１】特開２００２−３５９７５１号公報
【発明の開示】
【発明が解決しようとする課題】
【０００７】
ところで、デジタル放送受信機能を有した受信機によれば、次のような問題がある。
【０００８】
ｉ．この種のデジタル受信機と書換え可能な機器データに基づいて動作する複数の電気製品とをリンクさせて機器データダウンロードシステム等を構築しようとした場合に、特許文献１に開示された遠隔制御装置を含めて、当該受信機は、データ放送を利用して受信機本体のソフトウエアを書き換えることができても、自機宛の電気製品の機器データであるか、他機宛の電気製品の機器データであるかを自機側で判別することが困難となる。
【０００９】
ii．従って、販売後の電気製品でシステムプログラム等のバージョンアップが必要となった場合に、システムプログラムが記録されたＲＯＭを個々に取り替えなくてはならず、これらの電気製品のアフターサービスの向上に妨げとなる。
【００１０】
そこで、この発明はこのような従来の課題を解決したものであって、複数の電気製品の機器データをデータ放送を利用してバージョンアップできるようにすると共に、これらの電気製品のアフターサービスを向上できるようにした情報処理システム、情報受信処理装置及び情報処理方法を提供することを目的とする。
【課題を解決するための手段】
【００１１】
上述した課題は、書換え可能な機器データに基づいて動作する任意の電気製品に対応して当該機器データを書き換えるシステムであって、電気製品を動作させる新たな機器データをデータ放送を利用して当該電気製品宛に配信する情報配信装置と、この情報配信装置から当該電気製品宛へ配信されてきた新たな機器データを受信すると共に、電気製品の旧機器データを当該新たな機器データに書き換えるように情報処理する情報受信処理装置とを備えることを特徴とする情報処理システムによって解決される。
【００１２】
本発明に係る情報処理システムによれば、任意の電気製品に対応した機器データを書き換える場合に、情報配信装置は、電気製品を動作させる新たな機器データをデータ放送を利用して当該電気製品宛に配信する。これを前提にして、情報受信処理装置は、情報配信装置から当該電気製品宛へ配信されてきた新たな機器データを受信すると共に、電気製品の機器データを当該新たな機器データに書き換えるように情報処理する。
【００１３】
従って、当該情報受信処理装置に接続される複数の電気製品を地上波デジタル放送システムやデジタル衛星放送システム等を利用して取り込んだ機器データによりバージョンアップすることができる。これにより、情報受信処理装置の管理下にある電気製品のアフターサービスの向上に寄与するところが大きい。
【００１４】
本発明に係る情報受信処理装置は、書換え可能な機器データに基づいて動作する任意の電気製品に対応した情報を受信して処理する装置であって、当該電気製品宛へデータ放送を利用して配信されてきた新たな機器データを受信する受信手段と、この受信手段より受信された当該新たな機器データを記憶する第１の記憶手段と、電気製品の旧機器データを第１の記憶手段から読み出した新たな機器データに書き換えるようにデータ転送制御する制御手段とを備えることを特徴とするものである。
【００１５】
本発明に係る情報受信処理装置によれば、任意の電気製品に対応した機器データを受信して処理する場合に、例えば、第２の記憶手段には、自機の管理下にある電気製品を識別するための識別情報が予め記憶される。受信手段は、当該電気製品宛へデータ放送を利用して配信されてきた新たな機器データを受信する。判別手段では、第２の記憶手段から読み出した識別情報に基づいて自機宛の機器データか否かが判別される。制御手段は、判別手段によって自機宛の機器データであると判別された場合に当該機器データを第１の記憶手段に記憶するように制御する。
【００１６】
第１の記憶手段には、受信手段より受信された当該新たな機器データが記憶される。これを前提にして、制御手段は、電気製品の機器データを第１の記憶手段から読み出した新たな機器データに書き換えるようにデータ転送制御する。従って、当該制御手段に接続される複数の電気製品を地上波デジタル放送システムやデジタル衛星放送システム等を利用して取り込まれた機器データによりバージョンアップすることができる。これにより、当該情報受信処理装置の管理下にある電気製品のアフターサービスの向上に寄与するところが大きい。
【００１７】
本発明に係る情報処理方法は、書換え可能な機器データに基づいて動作する任意の電気製品に関して情報を処理する方法であって、各々の電気製品を動作させる新たな機器データを予め準備し、ここに準備された新たな機器データをデータ放送を利用して各々の電気製品宛に配信し、当該電気製品宛に配信されてきた新たな機器データを受信し、当該電気製品の機器データを受信した新たな機器データに書き換えることを特徴とするものである。
【００１８】
本発明に係る情報処理方法によれば、任意の電気製品に対応した機器データを書き換える場合に、複数の電気製品の機器データを地上波デジタル放送システムやデジタル衛星放送システム等を利用してバージョンアップすることができる。
【発明の効果】
【００１９】
本発明に係る情報処理システム及び情報処理方法によれば、任意の電気製品に対応した機器データを書き換える場合に、データ放送を利用して当該電気製品宛に配信されてきた新たな機器データを受信すると共に、電気製品の機器データを当該新たな機器データに書き換えるように情報処理する情報受信処理装置を備えるものである。
【００２０】
この構成によって、当該情報受信処理装置に接続される複数の電気製品を地上波デジタル放送システムやデジタル衛星放送システム等を利用して取り込んだ機器データによりバージョンアップすることができる。従って、情報受信処理装置の管理下にある電気製品のアフターサービスの向上に寄与するところが大きい。
【００２１】
本発明に係る情報受信処理装置によれば、任意の電気製品に対応した機器データを受信して処理する場合に、データ放送を利用して当該電気製品宛に配信されてきた新たな機器データを受信すると共に、電気製品の機器データを当該新たな機器データに書き換えるようにデータ転送制御する制御手段を備えるものである。
【００２２】
この構成によって、当該制御手段に接続される複数の電気製品を地上波デジタル放送システムやデジタル衛星放送システム等を利用して取り込んだ機器データよりバージョンアップすることができる。従って、当該情報受信処理装置の管理下にある電気製品のアフターサービスの向上に寄与するところが大きい。
【発明を実施するための最良の形態】
【００２３】
続いて、この発明に係る情報処理システム、情報受信処理装置及び情報処理方法の一実施の形態について、図面を参照しながら説明をする。
【００２４】
図１は本発明に係る実施形態としての機器データダウンロードシステム１００の構成例を示す概念図である。
【００２５】
この実施形態では、任意の電気製品に対応した機器データを書き換える場合に、データ放送を利用して当該電気製品宛に配信されてきた新たな機器データを受信すると共に、電気製品の機器データを当該新たな機器データに書き換えるように情報処理する情報受信処理装置を備え、当該情報受信処理装置に接続される複数の電気製品を地上波デジタル放送システムやデジタル衛星放送システム等を利用して取り込んだ機器データによりバージョンアップできるようにすると共に、情報受信処理装置の管理下にある電気製品のアフターサービスを向上できるようにしたものである。
【００２６】
図１に示す機器データダウンロードシステム１００は情報処理システムの一例であり、書換え可能な機器データ（ソフトウエア）に基づいて動作する任意の電気製品Ｅｉ（ｉ＝１〜ｎ）に対応した情報を処理するシステムである。電気製品Ｅｉには家庭用及び業務用の電子機器を含んでいる。電子機器の一例を挙げると、冷蔵庫、洗濯機、皿洗い機、乾燥機、コーヒーメーカ、電子レンジ、クーラー、湯沸かし器、ミキサー、オーブン等の家電製品や、ＤＶＤ装置、テレビ、ラジオ、カセットデッキ、ＣＤプレーヤー、ＭＤプレーヤー、ホームシアターセット、ＶＴＲ、デジタルカメラ、パーソナルコンピュータ、電子辞書、電子手帳、ゲーム機、携帯電話機等の情報処理機器を含んでいる。このシステム１００はデータ放送を利用して任意の電気製品Ｅｉに対応した機器データを書き換えるようになされる。
【００２７】
このシステム１００で当該電気製品Ｅｉには情報受信処理装置の一例となるデジタル受信機２０が接続される。このデジタル受信機２０にはアンテナ６が接続され、デジタル放送波を受信するようになされる。デジタル受信機２０では、当該電気製品宛へ配信されてきた新たな機器データを受信すると共に、当該電気製品Ｅｉの機器データを新たな機器データに書き換えるように情報処理される。当該電気製品Ｅｉのバージョンアップを図るためである。デジタル受信機２０には、書換え可能な機器データに基づいて動作する複数の電気製品Ｅｉが接続される。複数の電気製品Ｅｉを個別にバージョンアップするためである。
【００２８】
このシステム１００で放送局４には情報配信装置１０が備えられ、電気製品Ｅｉを動作させる新たな機器データをデータ放送を利用して当該電気製品宛に配信するようになされる。データ放送形態としては、地上波デジタル放送システム及びデジタル衛星放送システムが使用される。デジタル衛星放送システムを適用する場合は、放送衛星５を使用してデータ配信される。放送衛星５を使用したデータ配信には、ＢＳデジタル及びＣＳデジタルで採用されているデータ放送システムが利用される。この例で情報配信装置１０は、機器データに識別情報を付加して配信する。これはデジタル受信機２０において、データ配信される機器データが自機で管理する電気製品Ｅｉに対する機器データであることを識別し易くするためである。
【００２９】
電気製品Ｅｉは電気メーカー１で製造され、図１に示す経路＃１で小売店２に出荷される。小売店２では電気製品Ｅｉが販売され、ユーザ３は経路＃２で電気製品Ｅｉを購入し、例えば、ユーザ３の家庭内でその電気製品Ｅｉを使用するようになされる。ユーザ３はデジタル受信機２０と電気製品ＥｉとをＩＥＥＥ１３９４準拠の通信ケーブル又はＵＳＢケーブルで接続するようになされる。これはデータ放送を利用して当該電気製品Ｅｉの機器データを書き換えるためである。
【００３０】
このシステム１００で該当する電気製品Ｅｉでバージョンアップが生じた場合に、電気メーカー１は、経路＃３で放送局４へ電気製品Ｅｉに関する機器データを提出し、その配信を依頼するようになされる。この依頼を受け、電気メーカー１から機器データを受け取った放送事業者は、情報配信装置１０を使用し、経路＃４で機器データを配信データとして放送衛星５にアップリンク（アップロード）する。
【００３１】
放送衛星５はアップリンクされた機器データを経路＃５でデータ配信する。ユーザ３宅では、アンテナ６を使用して経路＃６で放送衛星５から配信データ（デジタル放送波）を受信する。デジタル放送波はデジタル受信機２０で情報処理され、機器データが抽出される。このとき、デジタル受信機２０は機器データが電気製品Ｅｉに係るものであるか否かを判別する。それが電気製品Ｅｉに係るものであると判別された場合は、機器データがダウンロードされる。機器データは経路＃７でＵＳＢケーブル等を経由して電気製品Ｅｉに転送される。当該電気製品Ｅｉは、旧機器データを新たな機器データに書き換えるように情報処理される。これにより、デジタル受信機２０から受信した機器データを用いて電気製品内部のソフトウエアを書換えることができる。
【００３２】
このように、本発明に係る実施形態としての機器データダウンロードシステムによれば、任意の電気製品Ｅｉに対応した機器データを書き換える場合に、デジタル受信機２０は、情報配信装置１０から当該電気製品宛へ配信されてきた新たな機器データを受信すると共に、電気製品Ｅｉの機器データを当該新たな機器データに書き換えるように情報処理する。
【００３３】
従って、当該デジタル受信機２０に接続される複数の電気製品Ｅｉを地上波デジタル放送システムやデジタル衛星放送システム等を利用して取り込まれた機器データによりバージョンアップすることができる。これにより、デジタル受信機２０の管理下にある電気製品Ｅｉのアフターサービスの向上に寄与するところが大きい。
【実施例１】
【００３４】
図２は本発明に係る第１の実施例としての情報配信装置１０の構成例を示すブロック図である。この例で、電気製品Ｅｉに改良あるいは改善等がなされたとき、その電気製品Ｅｉの機器データ（ソフトウエア）ＤINは電気メーカー１が作成する。これを前提として、新たな機器データＤINは、図１に示した電気メーカー１から放送局４へ持ち込まれる。
【００３５】
図２に示す情報配信装置１０は放送局４に備えられ、電気製品Ｅｉを動作させる新たな機器データＤINをデータ放送を利用して当該電気製品宛に配信するようになされる。情報配信装置１０には送信用のアンテナ１８が接続され、これらの情報配信装置１０及びアンテナ１８は情報配信系を構成する。情報配信装置１０は制御装置１５を有している。
【００３６】
制御装置１５にはデータ処理部１１、トランスポート・ストリーム変換部（以下ＴＳ変換部という）１２、送信部１３、操作部１４、メモリ部１６及びモニタ１７等が接続される。制御装置１５はこれらの入出力を制御する。例えば、制御装置１５は電気製品Ｅｉの新たな機器データＤINをデータ放送を利用して当該電気製品宛に配信するようにデータ処理部１１を制御する。
【００３７】
データ処理部１１はｉＬＩＮＫ機種ＩＤ付加部１０１、ダウンロードＩＤ付加部１０２及び、デジタルストレージ・メディアコマンド＆コントロール（以下ＤＳＭＣＣという）形式加工部１０３を有しており、識別情報の一例となる電気製品ＥｉのｉＬＩＮＫにあるメーカーコードと機種ＩＤを機器データＤINに付加して配信するようになされる。これはデジタル受信機２０において、データ受信される機器データＤINが自機で管理する電気製品Ｅｉに対する機器データＤINであることを識別し易くするためである。
【００３８】
データ処理部１１では制御装置１５の制御を受けて、ｉＬＩＮＫ機種ＩＤ付加部１０１には電気メーカー１が作成した新たな機器データＤINが入力される。ｉＬＩＮＫ機種ＩＤ付加部１０１はその電気製品Ｅｉの新たな機器データＤINにｉＬＩＮＫ機種ＩＤを付加するようになされる。ｉＬＩＮＫ機種ＩＤ付加部１０１にはダウンロードＩＤ付加部１０２が接続される。ダウンロードＩＤ付加部１０２は、ｉＬＩＮＫ機種ＩＤが付加された機器データＤINにダウンロードＩＤを付加するようになされる。
【００３９】
ダウンロードＩＤ付加部１０２にはＤＳＭＣＣ形式加工部１０３が接続される。ＤＳＭＣＣ形式加工部１０３は、ｉＬＩＮＫ機種ＩＤ及びダウンロードＩＤが付加された機器データＤINをＤＳＭＣＣ形式の配信データに加工するようになされる。ＤＳＭＣＣ形式加工部１０３にはＴＳ変換部１２が接続される。ＴＳ変換部１２は、ＤＳＭＣＣ形式に加工された配信データ（電気製品Ｅｉのソフトウエア＋ｉＬＩＮＫ機種ＩＤ＋ダウンロードＩＤ）をＴＳ変換制御信号Ｓ１１に基づいてトランスポート・ストリーム（ＴＳ）変換するようになされる。例えば、ＴＳ変換部１２では、ＭＰＥＧ−２ＴＳにより映像、音声、番組配列情報（ＳＩ）、機器データ等が多重処理される。ＴＳ変換制御信号Ｓ１１は制御装置１５からＴＳ変換部１２に出力される。
【００４０】
ＴＳ変換部１２には送信部１３が接続され、この送信部１３にはアンテナ１８が接続される。送信部１３はＴＳ変換された配信データＤOUTを送信制御信号Ｓ１２に基づいてデジタル変調する。このデジタル変調における符号化部分では、誤り訂正符号付加（外符号符号化）、エネルギー拡散、インタリーブ、誤り訂正符号付加（内符号符号化）等の処理がなされる。送信制御信号Ｓ１２は制御装置１５から送信部１３に出力される。このデジタル変調後の配信データＤOUTをアンテナ１８を通じて放送衛星５にアップリンクするようになされる。放送衛星５を通じてデータ配信する場合に、ＢＳデジタル放送システム又はＣＳデジタル放送システムが利用される。
【００４１】
なお、操作部１４は電気製品Ｅｉの新たな機器データＤINを取り込む際に入力操作される。また、ＴＳ変換された配信データＤOUTを放送衛星５にアップリンクする際に出力操作される。入力操作あるいは出力操作により生じた操作データＤ３１は制御装置１５に出力される。メモリ部１６には電気メーカー１が作成した新たな機器データＤINが記憶される。もちろん、これに限られることはなく、データ処理途中のｉＬＩＮＫ機種ＩＤが付加された機器データＤINや、ｉＬＩＮＫ機種ＩＤ及びダウンロードＩＤが付加された機器データＤIN、ＤＳＭＣＣ形式に加工された配信データＤOUT等がメモリ部１６に格納される。モニタ１７には表示データＤ６１に基づいて電気製品ＥｉのｉＬＩＮＫにあるメーカーコードや、機種ＩＤ等が表示される。表示データＤ６１は制御装置１５からモニタ１７へ出力される。
【００４２】
図３Ａ〜Ｅは情報配信系におけるデータ処理例を示す図である。図３Ａに示す電気製品Ｅｉの機器データ（ソフトウエア）ＤINは、電気製品Ｅｉに改善等がなされたとき、その電気メーカー１が作成する。この新たな機器データＤINは、図１に示した電気メーカー１から放送局４へ持ち込まれる。
【００４３】
図３Ａに示した新たな機器データＤINは、放送局４に備えられた情報配信装置１０に入力される。この新たな機器データＤINは、データ放送を利用して当該電気製品宛に配信するために、情報配信装置１０のデータ処理部１１で、図３Ｂに示すｉＬＩＮＫ機種ＩＤが付加される。
【００４４】
更に、データ処理部１１は、ｉＬＩＮＫ機種ＩＤが付加された機器データＤINに図３Ｃに示すダウンロードＩＤを付加する。そして、データ処理部１１は、ｉＬＩＮＫ機種ＩＤ及びダウンロードＩＤが付加された機器データＤINを図３Ｄに示すＤＳＭＣＣ形式の配信データＤOUTに加工する。
【００４５】
そして、ＴＳ変換部１２は、ＤＳＭＣＣ形式に加工された配信データＤOUT（電気製品Ｅｉのソフトウエア＋ｉＬＩＮＫ機種ＩＤ＋ダウンロードＩＤ）をＴＳ変換する。これにより、図３Ｅに示すＴＳ形式の配信データＤOUTが完成する。ＴＳ形式の配信データＤOUTは、送信部１３及びアンテナ１８を通じて放送衛星５にアップリンクされる。
【実施例２】
【００４６】
図４は本発明に係る第２の実施例としてのデジタル受信機２０の構成例を示すブロック図である。
【００４７】
図４に示すデジタル受信機２０は情報受信処理装置の一例であり、ＢＳデジタル及びＣＳデジタル放送の受信機能に加え、書換え可能な機器データＤINに基づいて動作する任意の電気製品Ｅｉに対応した情報を受信して処理する装置である。デジタル受信機２０には受信用のアンテナ６が接続され、これらのデジタル受信機２０及びアンテナ６は情報受信系を構成する。デジタル受信機２０は制御手段の一例となる制御装置２５を有している。
【００４８】
制御装置２５には受信部２１、ＴＳ分離部２２、データ処理部２３、操作部２４、メモリ部２６、モニタ２７、外部機器データ転送ブロック２８及びＩ／Ｏポート２９等が接続される。制御装置２５はこれらの入出力を制御する。例えば、制御装置２５は電気製品Ｅｉの旧機器データＤINを放送衛星５からダウンロードした新たな機器データＤINに書き換えるように外部機器データ転送ブロック２８等をデータ転送制御する。
【００４９】
操作部２４はＢＳデジタル又はＣＳデジタル放送を受信する際にチューニング操作される。また、当該受信機２０に新たな電気製品Ｅｉが接続された際に、その電気製品ＥｉのｉＬＩＮＫにあるメーカーコードや、機種ＩＤを取り込むように操作される。これらの操作によって発生した操作データＤ３２は制御装置２５に出力される。モニタ２７には表示データＤ６２に基づいて電気製品Ｅｉのメーカーコードや機種ＩＤ等を表示するようになされる。表示データＤ６２は制御装置２５からモニタ２７に出力される。
【００５０】
上述のアンテナ６には受信手段の一例となる受信部２１が接続され、放送衛星５からＴＳ形式の配信データＤOUTを受信し、受信制御信号Ｓ２１に基づいてデジタル復調する。このデジタル復調における復号化部分では、内符号復号化、デインタリーブ、デスクランブル、外符号復号化等の処理がなされる。受信制御信号Ｓ２１は制御装置２５から受信部２１に出力される。この配信データＤOUTの受信は、データ放送を利用して当該電気製品宛へ配信されてくる新たな機器データＤINをダウンロードするためである。
【００５１】
受信部２１にはＴＳ分離部２２が接続され、ＴＳ形式の配信データＤOUTからＤＳＭＣＣ形式のダウンロードデータをＴＳ分離制御信号Ｓ２２に基づいて抽出するようになされる。例えば、ＴＳ分離部２２では、ＴＳ形式の配信データＤOUTからＭＰＥＧ−２ＴＳにより映像、音声、番組配列情報（ＳＩ）、機器データ等が分離処理される。ＴＳ分離制御信号Ｓ２２は制御装置２５からＴＳ分離部２２に出力される。ＴＳ分離部２２にはデータ処理部２３が接続される。データ処理部２３はダウンロードデータ抽出部３１及びダウンロードＩＤ識別部３２を有している。
【００５２】
ダウンロードデータ抽出部３１にはＴＳ分離後のＤＳＭＣＣ形式のダウンロードデータが入力される。ダウンロードデータ抽出部３１は、ＤＳＭＣＣ形式のダウンロードデータから電気製品Ｅｉの機器データ（ソフトウエア）ＤIN＋ｉＬＩＮＫ機種ＩＤ＋ダウンロードＩＤを抽出するようになされる。ダウンロードデータ抽出部３１にはダウンロードＩＤ識別部３２が接続され、電気製品Ｅｉの機器データＤIN＋ｉＬＩＮＫ機種ＩＤ＋ダウンロードＩＤからダウンロードＩＤを識別するようになされる。
【００５３】
制御装置２５には第１の記憶手段の一例となるメモリ部２６が接続され、受信部２１により受信され、ＴＳ分離部２２で処理されたＤＳＭＣＣ形式のダウンロードデータや、データ処理部２３で処理された当該電気製品Ｅｉの機器データＤIN＋ｉＬＩＮＫ機種ＩＤ＋ダウンロードＩＤ等を記憶するようになされる。
【００５４】
この制御装置２５には、第２の記憶手段の一例となるＥＥＰＲＯＭ６１が備えられ、自機の管理下にある電気製品Ｅｉを識別するためのｉＬＩＮＫ機種ＩＤを記憶するようになされる。ＥＥＰＲＯＭ６１にはｉＬＩＮＫ機種ＩＤの他に当該受信機全体を制御するためのシステムプログラムデータが格納される。
【００５５】
制御装置２５には更に、判別手段の一例となるＣＰＵ６２を備え、ＥＥＰＲＯＭ６１から読み出したｉＬＩＮＫ機種ＩＤに基づいて自機宛の機器データＤINか否かを判別するようになされる。制御装置２５は、ＣＰＵ６２によって自機宛の機器データＤINであると判別された場合に当該機器データＤINをメモリ部２６に記憶するように制御する。このようにすると、自機が管理する電気製品Ｅｉに関する機器データＤINのみをダウンロードすることができる。
【００５６】
制御装置２５には、ＥＥＰＲＯＭ６１及びＣＰＵ６２の他にＲＡＭ６３が備えられる。ＲＡＭ６３は、ワークメモリとして使用され、例えば、制御コマンド等を一時記憶するようになされる。ＣＰＵ６２は電源がオンされると、ＥＥＰＲＯＭ６１からシステムプログラムデータを読み出してシステムを起動し、操作部２４からの操作データＤ３２に基づいて当該受信機全体を制御するようになされる。
【００５７】
上述の制御装置２５は、メモリ部２６から新たな機器データＤINを読み出し、電気製品Ｅｉの旧機器データＤINを新たな機器データＤINに書き換えるように外部機器データ転送ブロック２８等を制御する。例えば、制御装置２５はダウンロードＩＤに基づいて電気製品Ｅｉの機器データＤIN＋ｉＬＩＮＫ機種ＩＤをメモリ部２６から外部機器データ転送ブロック２８へ転送するように制御する。
【００５８】
制御装置２５に接続された外部機器データ転送ブロック２８は、電気製品Ｅｉのソフトウエア＋ｉＬＩＮＫ機種ＩＤをアイソクロナス形式の機器データＤINに変換する。アイソクロナス形式は、等時型データ伝送モードの一つであり、この伝送モードでは、デジタル受信機２０が機器データＤINを送り出したタイミングを保持したまま、電気製品宛に機器データＤINが転送されるまでその機器データＤINを保持するようになされる。
【００５９】
外部機器データ転送ブロック２８にはＩ／Ｏポート２９が接続され、Ｉ／Ｏポート制御信号Ｓ２３に基づいて入出力制御をする。Ｉ／Ｏポート制御信号Ｓ２３は制御装置２５からＩ／Ｏポート２９に出力される。Ｉ／Ｏポート２９には、ＩＥＥＥ１３９４準拠又はＵＳＢ規格のインターフェースが使用され、書換え可能な機器データＤINに基づいて動作するｎ台の電気製品Ｅｉ（ｉ＝１〜ｎ）が接続される。ｎ台の電気製品Ｅｉを個別にバージョンアップするためである。当該受信機２０と各々の電気製品ＥｉとはＩＥＥＥ１３９４準拠の通信ケーブル又はＵＳＢケーブルを使用して接続される。
【００６０】
図５Ａ〜Ｄは情報受信系におけるデータ処理例を示す図である。この例で、図５Ａに示すＴＳ形式の配信データＤOUTは、図４に示したデジタル受信機２０のアンテナ６及び受信部２１を通じて放送衛星５からダウンロードされる。
【００６１】
そして、放送衛星５からダウンロードされたＴＳ形式の配信データＤOUT（電気製品Ｅｉのソフトウエア＋ｉＬＩＮＫ機種ＩＤ＋ダウンロードＩＤ）はＴＳ分離部２２によってＴＳ分離され、図５Ｂに示すＤＳＭＣＣ形式のダウンロードデータが出力される。
【００６２】
ＤＳＭＣＣ形式のダウンロードデータはＴＳ分離部２２からダウンロードデータ抽出部３１へ出力される。ダウンロードデータ抽出部３１は、ＤＳＭＣＣ形式のダウンロードデータから、図５Ｃに示す電気製品Ｅｉの機器データ（ソフトウエア）ＤIN＋ｉＬＩＮＫ機種ＩＤ＋ダウンロードＩＤを抽出するようになされる。
【００６３】
電気製品Ｅｉの機器データＤIN＋ｉＬＩＮＫ機種ＩＤ＋ダウンロードＩＤはダウンロードデータ抽出部３１からダウンロードＩＤ識別部３２へ出力される。ダウンロードＩＤ識別部３２はダウンロードＩＤを識別して、図５Ｄに示す電気製品Ｅｉの機器データＤIN＋ｉＬＩＮＫ機種ＩＤを抽出するようになされる。この機器データＤIN＋ｉＬＩＮＫ機種ＩＤは、電気製品Ｅｉに改善等がなされたとき、その電気メーカー１が作成したものに、ｉＬＩＮＫ機種ＩＤを付加したものである。この機器データＤIN＋ｉＬＩＮＫ機種ＩＤはメモリ部２６に一時記憶するようになされる。
【００６４】
このように、本発明に係る第２の実施例としてのデジタル受信機２０によれば、任意の電気製品Ｅｉに対応した機器データＤINを受信して処理する場合に、ＥＥＰＲＯＭ６１には、自機の管理下にある電気製品Ｅｉを識別するためのｉＬＩＮＫ機種ＩＤが予め記憶される。受信部２１は、データ放送を利用して当該電気製品宛へ配信されてきた新たな機器データＤINを受信する。ＣＰＵ６２では、ＥＥＰＲＯＭ６１から読み出したｉＬＩＮＫ機種ＩＤに基づいて自機宛の機器データＤINか否かが判別される。
【００６５】
制御装置２５は、ＣＰＵ６２によって自機宛の機器データＤINであると判別された場合に当該機器データＤINをメモリ部２６に記憶するように制御する。メモリ部２６には、受信部２１により受信され、ＴＳ分離部２２及びデータ処理部２３で処理された当該新たな機器データＤINが記憶される。これを前提にして、制御装置２５は、電気製品Ｅｉの機器データＤINをメモリ部２６から読み出した新たな機器データＤINに書き換えるように外部機器データ転送ブロック２８等をデータ転送制御する。
【００６６】
従って、当該制御装置２５に接続される複数の電気製品Ｅｉを地上波デジタル放送システムやデジタル衛星放送システム等を利用して取り込まれた機器データＤINによりバージョンアップすることができる。これにより、当該デジタル受信機２０の管理下にある電気製品Ｅｉのアフターサービスの向上に寄与するところが大きい。
【実施例３】
【００６７】
続いて、本発明が適用される電気製品Ｅｉの一構成例について、その説明をする。図６は電気製品Ｅｉの制御系の構成例を示すブロック図である。
【００６８】
図６に示す電気製品Ｅｉは冷蔵庫、洗濯機、皿洗い機、乾燥機、コーヒーメーカ、電子レンジ、クーラー、湯沸かし器、ミキサー、オーブン等の家電製品や、ＤＶＤ装置、テレビ、ラジオ、カセットデッキ、ＣＤプレーヤー、ＭＤプレーヤー、ホームシアターセット、ＶＴＲ、デジタルカメラ、パーソナルコンピュータ、電子辞書、電子手帳、ゲーム機、携帯電話機等の情報処理機器であり、Ｉ／Ｏポート５１、データ処理部５２、表示部５３、操作部５４、制御装置５５及び、各家電製品や情報処理機器等の主要部を構成する機能モジュール５６を備えている。
【００６９】
Ｉ／Ｏポート５１はデジタル受信機２０のＩ／Ｏポート２９に対して、ＩＥＥＥ１３９４準拠の通信ケーブル又はＵＳＢケーブルを使用して接続される。Ｉ／Ｏポート５１は、Ｉ／Ｏポート制御信号Ｓ３１に基づいてアイソクロナス形式の機器データＤINを取り込むようになされる。Ｉ／Ｏポート制御信号Ｓ３１は、書換え了解時に制御装置５５からＩ／Ｏポート５１に出力される。Ｉ／Ｏポート５１にはＩＥＥＥ１３９４準拠又はＵＳＢ規格のインターフェースが使用され、このインターフェースにはデータ処理部５２が接続される。
【００７０】
データ処理部５２は機器データ抽出部５７及びｉＬＩＮＫ機種識別部５８を有している。機器データ抽出部５７はアイソクロナス形式の機器データＤIN＋ｉＬＩＮＫ機種ＩＤから、当該機器データＤINを抽出するようになされる。機器データ抽出部５７にはｉＬＩＮＫ機種識別部５８が接続される。ｉＬＩＮＫ機種識別部５８は、機器データＤIN＋ｉＬＩＮＫ機種ＩＤから、当該ｉＬＩＮＫ機種ＩＤを識別するようになされる。
【００７１】
表示部５３には、表示データＤ６３に基づいて当該電気製品Ｅｉで特有の文字情報や映像等が表示される。表示データＤ６３は制御装置５５から表示部５３に出力される。電気製品Ｅｉが例えば、テレビの場合、放送番組を表示するようになされる。電気製品Ｅｉが例えば、クーラーの場合、設定温度等を表示するようになされる。電気製品Ｅｉによっては省略される場合もある。操作部５４は当該電気製品Ｅｉの操作に必要な設定条件等を入力する際に使用される。電気製品Ｅｉが例えば、テレビの場合、チューナーを選局するように操作部５４が操作される。
【００７２】
制御装置５５はＥＥＰＲＯＭ７１、ＣＰＵ７２、ＲＡＭ７３を有している。ＥＥＰＲＯＭ７１には機器データＤINを構成する、当該電気製品全体を制御するためのシステムプログラムデータ（ソフトウエア）が格納される。ＲＡＭ７３はワークメモリとして使用され、例えば、制御コマンド等を一時記憶するようになされる。ＣＰＵ７２は電源がオンされると、ＥＥＰＲＯＭ７１からシステムプログラムデータを読み出してシステムを起動し、操作部５４からの操作データＤ３３に基づいて当該電気製品全体を制御するようになされる。
【００７３】
制御装置５５は、Ｉ／Ｏポート５１、データ処理部５２、表示部５３、操作部５４及び機能モジュール５６の入出力を制御する。例えば、制御装置５５は電気製品Ｅｉの旧機器データＤINを新たな機器データＤINに書き換えるように、ＥＥＰＲＯＭ７１等を制御する。
【００７４】
機能モジュール５６は制御装置５５から機能モジュール用の制御データＤ２３を入力し、当該制御データＤ２３に基づいて各種機能を実現するが、電気製品Ｅｉの種類によって異なる。電気製品Ｅｉが冷蔵庫の場合、機能モジュール５６は冷蔵庫本体に取付けられた冷蔵ユニットである。電気製品Ｅｉが洗濯機の場合、機能モジュール５６は洗濯機本体に取付けられた洗濯ユニットである。電気製品Ｅｉが電子レンジの場合、機能モジュール５６はレンジ本体に取付けられた電子レンジユニットである。
【００７５】
また、電気製品ＥｉがＤＶＤ装置の場合、機能モジュール５６はＤＶＤ装置本体に取付けられたＤＶＤユニットである。電気製品Ｅｉがテレビの場合、機能モジュール５６はテレビ本体に取付けられた受像機ユニットである。電気製品Ｅｉが携帯電話機の場合、機能モジュール５６は携帯電話機本体に取付けられた無線電話ユニットである。なお、機器データＤINの書換えは、当該電気製品Ｅｉが通常動作を実行していない、例えば、スリーピング状態のときに実行することが好ましい。
【００７６】
図７Ａ〜Ｃは機器データ書換え時のデータ処理例を示す図である。図７Ａは外部機器データ転送ブロック２８におけるデータ処理例、図７Ｂは、ｉＬＩＮＫ（ＩＥＥＥ１３９４準拠の通信ケーブル）バス７’におけるデータ転送例、図７Ｃは電気製品Ｅｉにおけるデータ処理例を示している。いずれも、Ｉ／Ｏポート２９及び５１を省略している。
【００７７】
図７Ａにおいて、デジタル受信機側では、図４に示したメモリ部２６から読み出した新たな機器データＤINが制御装置２５を通じて外部機器データ転送ブロック２８に転送される。外部機器データ転送ブロック２８は、電気製品Ｅｉの機器データＤIN＋ｉＬＩＮＫ機種ＩＤをアイソクロナス形式の機器データＤINに変換する。図７Ｂにおいて、アイソクロナス形式の機器データＤIN＋ｉＬＩＮＫ機種ＩＤは、ｉＬＩＮＫバス７’を使用して電気製品Ｅｉに転送される。
【００７８】
図７Ｃにおいて、電気製品側では、機器データ抽出部５７がアイソクロナス形式の機器データＤIN＋ｉＬＩＮＫ機種ＩＤから、当該機器データＤINを抽出するようになされる。また、ｉＬＩＮＫ機種識別部５８は、機器データＤIN＋ｉＬＩＮＫ機種ＩＤから、当該ｉＬＩＮＫ機種ＩＤを識別するようになされる。これにより、電気製品Ｅｉの制御装置５５は、例えば、図６に示したＥＥＰＲＯＭ７１に格納されたソフトウエアであるシステムプログラム等を新たな機器データＤINに書き換えるようになされる。
【実施例４】
【００７９】
続いて、本発明に係る情報処理方法について、情報配信系、情報受信系及び電気製品における各々の処理例について説明をする。
【００８０】
この実施例では、ＢＳデジタル放送及びＣＳデジタル放送で採用されるデータ放送システムを利用し、デジタル受信機２０に接続された電気製品Ｅｉのソフトウエアを書き換える場合を前提とする。デジタル受信機２０と電気製品ＥｉとをＵＳＢ等の通信ケーブルを接続し、電気製品Ｅｉのソフトウエアを衛星放送に基づいて書換えを実現できるようにしたものである。
【００８１】
［情報配信系］
図８は、情報配信系における処理例を示すフローチャートである。この例では、書換え可能な機器データＤINに基づいて動作する任意の電気製品Ｅｉに関して情報を処理する場合を前提とする。各々の電気製品Ｅｉを識別する情報として、ｉＬＩＮＫにあるメーカーコードと機種ＩＤを使用する。機器データＤINにはｉＬＩＮＫ機種ＩＤを付加して配信する。
【００８２】
これをデータ処理条件にして、図８に示すフローチャートのステップＡ１で電気メーカー１Ａは、該当する電気製品Ｅｉに改良あるいは改善等がなされたとき、その電気製品Ｅｉの機器データ（ソフトウエア）ＤINを作成する。各々の電気製品Ｅｉを動作させる新たな機器データＤINを予め準備するためである。この新たな機器データＤINは、図１に示した電気メーカー１から放送局４へ持ち込まれる。
【００８３】
図３Ａに示した新たな機器データＤINは、放送局４に備えられた情報配信装置１０に入力される。この新たな機器データＤINは、データ放送を利用して当該電気製品宛に配信するために、ステップＡ２で情報配信装置１０のデータ処理部１１において、図３Ｂに示した電気製品Ｅｉの機器データＤINに、ｉＬＩＮＫ機種ＩＤが付加される。
【００８４】
更に、ステップＡ３でデータ処理部１１は、電気製品Ｅｉの機器データＤIN＋ｉＬＩＮＫ機種ＩＤに、図３Ｃに示したダウンロードＩＤを付加する。ｉＬＩＮＫ機種ＩＤ及びダウンロードＩＤの付加は、予め準備された新たな機器データＤINをデータ放送を利用して各々の電気製品宛に配信するためである。
【００８５】
そして、ステップＡ４でデータ処理部１１は、電気製品Ｅｉの機器データＤIN＋ｉＬＩＮＫ機種ＩＤ＋ダウンロードＩＤを加工して図３Ｄに示したＤＳＭＣＣ形式の配信データＤOUTにする。このＤＳＭＣＣ形式に加工された電気製品Ｅｉの機器データＤIN＋ｉＬＩＮＫ機種ＩＤ＋ダウンロードＩＤをステップＡ５でＴＳ変換部１２はＴＳ変換する。これにより、図３Ｅに示したＴＳ形式の配信データＤOUTが完成する。ＴＳ形式の配信データＤOUTは、ステップＡ６で送信部１３及びアンテナ１８を通じて放送衛星５にアップリンクされる。
【００８６】
［情報受信系］
図９は、情報受信系における処理例を示すフローチャートである。この例では、当該電気製品宛に配信されてきた新たな機器データＤINを受信し、当該電気製品Ｅｉの機器データＤINを受信した新たな機器データＤINに書き換える場合を想定する。自機宛の電気製品Ｅｉを識別するためのｉＬＩＮＫ機種ＩＤがＥＥＰＲＯＭ６１に格納され、予め準備されたｉＬＩＮＫ機種ＩＤに基づいて自機宛の機器データＤINか否かを判別し、自機宛の機器データＤINであると判別された場合に当該機器データＤINを取得するようになされる。
【００８７】
これをデータ処理条件にして、図９に示すフローチャートのステップＢ１で図５Ａに示したＴＳ形式の配信データＤOUTは、図４に示したデジタル受信機２０のアンテナ６及び受信部２１を通じて放送衛星５から受信される。そして、放送衛星５からダウンロードされたＴＳ形式の配信データ（電気製品Ｅｉのソフトウエア＋ｉＬＩＮＫ機種ＩＤ＋ダウンロードＩＤ）ＤOUTは、ステップＢ２で、ＴＳ分離部２２によってＴＳ分離され、ＴＳ変換形式の配信データＤOUTから、図５Ｂに示したＤＳＭＣＣ形式のダウンロードデータが抽出される。
【００８８】
その後、ＤＳＭＣＣ形式のダウンロードデータは、ＴＳ分離部２２からダウンロードデータ抽出部３１へ出力される。ダウンロードデータ抽出部３１は、ステップＢ３で、ＤＳＭＣＣ形式のダウンロードデータから、図５Ｃに示した電気製品Ｅｉの機器データ（ソフトウエア）ＤIN＋ｉＬＩＮＫ機種ＩＤ＋ダウンロードＩＤを抽出するようになされる。電気製品Ｅｉの機器データＤIN＋ｉＬＩＮＫ機種ＩＤ＋ダウンロードＩＤはダウンロードデータ抽出部３１からダウンロードＩＤ識別部３２へ出力される。
【００８９】
ダウンロードＩＤ識別部３２は、ステップＢ４で電気製品Ｅｉの機器データＤIN＋ｉＬＩＮＫ機種ＩＤ＋ダウンロードＩＤからダウンロードＩＤを識別する。このダウンロードＩＤは、自機宛の電気製品Ｅｉを識別するために使用される。このダウンロードＩＤを識別して、図５Ｄに示した電気製品Ｅｉの機器データＤIN＋ｉＬＩＮＫ機種ＩＤを抽出するようになされる。
【００９０】
配信データＤOUTが自機宛の電気製品Ｅｉに係るデータか否かは、ＥＥＰＲＯＭ６１から読み出した当該電気製品ＥｉのｉＬＩＮＫ機種ＩＤと、配信データＤOUTから抽出した当該電気製品ＥｉのｉＬＩＮＫ機種ＩＤとを比較する。両ｉＬＩＮＫ機種ＩＤが一致した場合は、当該配信データＤOUTが自機宛の電気製品Ｅｉに係るデータであると判別する。
【００９１】
そして、ステップＢ５でダウンロードＩＤの判別結果によって制御を分岐する。両ｉＬＩＮＫ機種ＩＤが一致した場合は、ステップＢ６に移行してダウンロードＩＤに基づいて電気製品Ｅｉの機器データＤIN＋ｉＬＩＮＫ機種ＩＤをメモリ部２６へ格納する。
【００９２】
この機器データＤIN＋ｉＬＩＮＫ機種ＩＤは、電気製品Ｅｉに改善等がなされたとき、その電気メーカー１が作成した機器データＤINに、ｉＬＩＮＫ機種ＩＤを付加したものである。以後、電気製品Ｅｉのソフトウエア＋ｉＬＩＮＫ機種ＩＤはメモリ部２６から外部機器データ転送ブロック２８へ転送される。
【００９３】
なお、両ｉＬＩＮＫ機種ＩＤが一致しない場合は、ステップＢ７に移行して当該電気製品Ｅｉのソフトウエア＋ｉＬＩＮＫ機種ＩＤをメモリ部２６へ格納することなく、機器データＤINを破棄してデータ処理を終了する。このようにすると、自機が管理する電気製品Ｅｉに関する機器データＤINのみを当該電気製品Ｅｉにダウンロードすることができる。
【００９４】
［データ書換え時の処理例］
この例で、電気製品Ｅｉにおける機器データＤINの書換えに関して受信機側及び電気製品側の２つに分けて説明をする。
【００９５】
［受信機側］
図１０Ａは、受信機側におけるデータ書換え時の処理例を示すフローチャートである。この例では、デジタル受信機２０と電気製品Ｅｉとの間で通信処理がなされ、この通信処理結果に基づいて機器データＤINを書き換えるようになされる。
【００９６】
これらをデータ処理条件にして、図１０Ａに示すフローチャートのステップＣ１でデジタル受信機２０は電気製品Ｅｉに対してソフトウエア書換え通知を送信する。その後、ステップＣ２でデジタル受信機２０は電気製品Ｅｉから了解通知が有ったかを判別する。了解通知が無い場合は、ステップＣ３に移行して了解通知の監視を継続する。了解通知が有った場合は、ステップＣ４に移行して、デジタル受信機側では、図４に示したメモリ部２６から読み出した新たな機器データＤINが制御装置２５を通じて外部機器データ転送ブロック２８に転送される（図７Ａ参照）。
【００９７】
外部機器データ転送ブロック２８は、ステップＣ４で電気製品Ｅｉの機器データＤIN＋ｉＬＩＮＫ機種ＩＤをアイソクロナス形式の機器データＤINに変換する。その後、ステップＣ５に移行して、アイソクロナス形式の機器データＤIN＋ｉＬＩＮＫ機種ＩＤは、ｉＬＩＮＫバス７’を使用して電気製品Ｅｉに転送される（図７Ｂ参照）。
【００９８】
［電気製品側］
図１０Ｂは、電気製品側におけるデータ書換え時の処理例を示すフローチャートである。この例で、電気製品Ｅｉは制御装置５５でソフトウエア書換え通知が有ったか否かを監視し、この通知が有った場合であって、ソフトウエア書換えをする場合に「了解通知」をデジタル受信機２０へ返信する場合を例に挙げる。
【００９９】
これらをデータ処理条件にして、図１０Ｂに示すフローチャートのステップＦ１で電気製品Ｅｉの制御装置５５はソフトウエア書換え通知が有ったか否かを判別する。ソフトウエア書換え通知が無い場合は、ステップＦ２に移行してソフトウエア書換え通知の有無を監視する。ソフトウエア書換え通知が有った場合は、ステップＦ３に移行して、制御装置５５は了解通知をデジタル受信機２０に返信したかを判別する。了解通知を返信していない場合は、ステップＦ４に移行して制御装置５５はデジタル受信機２０に了解通知を返信する。
【０１００】
この了解通知をした場合には、ステップＦ５に移行して制御装置５５はＩ／Ｏポート５１を制御して、デジタル受信機２０からアイソクロナス形式の機器データＤINを受信する。その後、ステップＦ６に移行して機器データ抽出部５７は、アイソクロナス形式の機器データＤIN＋ｉＬＩＮＫ機種ＩＤから、当該機器データＤINを抽出するようになされる。
【０１０１】
また、ｉＬＩＮＫ機種識別部５８は、ステップＦ７で機器データＤIN＋ｉＬＩＮＫ機種ＩＤから、当該ｉＬＩＮＫ機種ＩＤを識別するようになされる。その後、ステップＦ８で制御装置５５は、図６に示したＥＥＰＲＯＭ７１に格納されたソフトウエアであるシステムプログラム等を新たな機器データＤINに書き換えるようになされる（図７Ｃ参照）。
【０１０２】
このように、本発明に係る実施例としての機器データダウンロード方法によれば、任意の電気製品Ｅｉに対応した機器データＤINを書き換える場合に、複数の電気製品Ｅｉを地上波デジタル放送システムやデジタル衛星放送システム等を利用して取り込んだ機器データＤINによりバージョンアップすることができる。
【０１０３】
従って、電気メーカー１や小売店２等が電気製品Ｅｉを販売した後も、データ放送を利用してその電気製品Ｅｉの品質を保証したり、その点検や、その修理の相談に応じたアフターサービスをすることができる。これにより、デジタル受信機２０の管理下にある電気製品Ｅｉのアフターサービスの向上に寄与するところが大きい。
【産業上の利用可能性】
【０１０４】
本発明は、データ放送を利用して電気製品のソフトウエアを書き換える機器データダウンロードシステムに適用して極めて好適である。
【図面の簡単な説明】
【０１０５】
【図１】本発明に係る実施形態としての機器データダウンロードシステム１００の構成例を示す概念図である。
【図２】本発明に係る第１の実施例としての情報配信装置１０の構成例を示すブロック図である。
【図３】（Ａ）〜（Ｅ）は、情報配信系におけるデータ処理例を示す図である。
【図４】本発明に係る第２の実施例としてのデジタル受信機２０の構成例を示すブロック図である。
【図５】（Ａ）〜（Ｄ）は、情報受信系におけるデータ処理例を示す図である。
【図６】電気製品Ｅｉの制御系の構成例を示すブロック図である。
【図７】（Ａ）〜（Ｃ）は、機器データ書換え時のデータ処理例を示す図である。
【図８】情報配信系における処理例を示すフローチャートである。
【図９】情報受信系における処理例を示すフローチャートである。
【図１０】（Ａ）及び（Ｂ）は、受信機側及び電気製品側におけるデータ書換え時の処理例を各々示すフローチャートである。
【符号の説明】
【０１０６】
５・・・放送衛星、７’・・・ｉＬＩＮＫバス、１０・・・情報配信装置、１１，２３，５２・・・データ処理部、１２・・・ＴＳ変換部、１３・・・送信部、１４，２４，５４・・・操作部、１５，２５，５５・・・制御装置（制御手段）、１６・・・メモリ部、１７，２７・・・モニタ、２０・・・デジタル受信機（情報受信処理装置）、２１・・・受信部（受信手段）、２６・・・メモリ部（第１の記憶手段）、６１・・・ＥＥＰＲＯＭ（第２の記憶手段）、６２・・・ＣＰＵ（判別手段）、１００・・・機器データダウンロードシステム（情報処理システム）、Ｅｉ（ｉ＝１〜ｎ）・・・電気製品
【図１】
2005086562.tif 000003
【図２】
2005086562.tif 000004
【図３】
2005086562.tif 000005
【図４】
2005086562.tif 000006
【図５】
2005086562.tif 000007
【図６】
2005086562.tif 000008
【図７】
2005086562.tif 000009
【図８】
2005086562.tif 000010
【図９】
2005086562.tif 000011
【図１０】
2005086562.tif 000012